Podtech/llm-jp-corpus-v4-ja_patent huggingface dataset:
(57)【要約】【課題】  この発明は、山芋の風味と栄養価の高い羊羹を得ることを目的としたものである。【解決手段】  この発明は、砂糖・米の粉及び寒天とゲル化糖の単独または混合物適量と水を混合し、これを加熱溶融沸騰した後、餡及び生山芋を混入すると共に、水飴を添加し加熱沸騰して得た均一粘稠物を、容器又は型に移して冷却固化することを特徴とした山芋羊羹の製造方法により目的を達成した。【選択図】      なし【特許請求の範囲】
【請求項１】
生山芋を含むことを特徴とした山芋羊羹。
【請求項２】
米の粉及び山芋を含むことを特徴とした山芋羊羹。
【請求項３】
砂糖・米の粉及び寒天又はゲル化糖の単独又は混合物の適量と水とを混合し、これを加熱溶融沸騰した後、餡及び生山芋を混入すると共に、水飴を添加し、加熱沸騰して得た均一粘稠物を、容器に移して冷却固化することを特徴とした山芋羊羹の製造方法。
【請求項４】
使用材料の配合量は、砂糖３５％〜４０％、米の粉０．２８％〜０．３２％、寒天１．７％〜２．５％、餡３５％〜５３％、山芋１０％〜２０％、水飴０．７％〜０．８％及び水１５０％〜２００％としたことを特徴とする請求項３記載の山芋羊羹の製造方法。
【発明の詳細な説明】
【技術分野】
【０００１】
この発明は、山芋を含む羊羹を製造することを目的とした山芋羊羹及びその製造方法に関する。
【背景技術】
【０００２】
従来羊羹としては「生あんに小麦粉、うき粉、食塩、砂糖を入れてやわらかくのばし、これを成形して蒸し上げた蒸しようかん」と、「餡と砂糖と寒天に水を加えて沸騰させ、よく練りながら煮つめた後、成形固化する練りようかん」が知られている。
【０００３】
また二種類の原料さつまいもを蒸し上げ、これをペースト状にして、これに砂糖を加えて練り上げ、これを耐熱合成樹脂袋に入れて真空パックし、高温温水殺菌機によるレトルト処理を施すようにしたいも羊羹の製造方法も提案されている。
【特許文献１】特公昭６３−２１４５７
【発明の開示】
【発明が解決しようとする課題】
【０００４】
前記従来の羊羹は、餡・砂糖・寒天が主流であり、他の可食物を入れたものとしてさつまいも又は栗を使用したものが提案されている。
【０００５】
然し乍ら固化については、寒天が多用され、寒天の風味が強くなりがちであり、硬目になるおそれがあり、新規な風味及び栄養価の高い生山芋（ながいも、じねんじょも同類）を加入した新規な洋菓子を提案するものである。
【課題を解決するための手段】
【０００６】
この発明は練羊羹と、ゼリー菓子との中間の味覚を有する菓子であって、独特の風味と食感を有し、かつ栄養価が高く、栄養バランスのとれた洋菓子である。
【０００７】
即ちこの発明は、生山芋を含むことを特徴とした山芋羊羹であり、米の粉及び山芋を含むことを特徴とした山芋羊羹である。
【０００８】
また方法の発明は、砂糖・米の粉及び寒天又はゲル化糖（ペクチンを含む）の適量と水とを混合し、これを３０分間位加熱溶融沸騰した後、餡及び生山芋を混入すると共に、水飴を添加し、加熱沸騰して得た均一粘稠物を、容器に移して冷却固化することを特徴とした山芋羊羹の製造方法であり、使用材料の配合量は、砂糖３５％〜４０％、米の粉０．２８％〜０．３２％、寒天１．７％〜２．５％、餡３５％〜５３％、山芋１０％〜２０％、水飴０．７％〜０．８％、水１５０％〜２００％（水以外の添加物の約５倍）としたことを特徴とするものである。前記餡は白餡又は黒餡とするが、透明性のよい羊羹を求める場合には白餡が好ましい。
【０００９】
この発明は、山芋を比較的多量（１０％〜２０％）に加入するので、山芋独特の風味を有すると共に、ねばりの強い食感、多量の各種ビタミンを含む特質がある。また米の粉を添加するので、各成分が均等に混合すると共に、澱粉質の糊化によるまろやかな風味を有する特質がある。
【００１０】
この発明において、山芋の加入量を１０％以下にすると、山芋の特性が薄くなり、２０％以上にすると、山芋の風味が前面に出て、羊羹独特の風味が薄くなる問題点があるので、添加量は通常１０％〜２０％である。
【００１１】
然し乍ら１０％より少量（例えば５％）であっても、山芋の風味は確実に保有される。尤も２０％を越えると、羊羹独特の風味がだんだん失われる傾向にあるので、１０％〜２０％を余り離れない方が好ましい。
【００１２】
前記山芋中、じねんじょ（生）及び長芋（生）の成分は表１のとおりである。
【表１】
2005143469.tif 000002
【発明の効果】
【００１３】
この発明は、米の粉及び生山芋を使用するので、固い羊羹でなく、ゼリー状でもないまろやかな、かつ透明性のある新規な洋菓子ができる効果がある。
【００１４】
また外観、風味及び食感共に良好で、かつ栄養価の高い新規な洋菓子を提供するものである。更に米の粉を添加することにより柔らかく、しかも保形性がよく、透明または半透明の独特の風味と食感を有する効果がある。
【発明を実施するための最良の形態】
【００１５】
この発明は、生山芋を含んだ羊羹であり、これに米の粉を加えた羊羹の製造方法である。
【００１６】
更に詳しくは、砂糖３５％〜４０％、米の粉０．２８％〜０．３２％、寒天１．７％〜２．５％（又はゲル化糖を同量或いは寒天とゲル化糖を１／２宛用いる）に１５０％〜２００％の水を加えて均一に混合し、これを３０分位１０３℃で加熱沸騰溶融して、均一かつ透明性のある粘稠液体とした後、この中へ別に製造した白餡３５％〜５３％と、摺り潰した山芋１０％〜２０％及び水あめ０．７％〜０．８％を加えて加熱混合し沸騰した後、型又は容器に流し込み自然放冷固化すれば、この発明の山芋羊羹ができる。
【００１７】
前記寒天入りの粘稠液は、１０３℃前後の温度にすることが好ましい。何故ならば１０５℃以上の高温になると、寒天のゼリー強度が急激に低下し、固化状態が不良になるからである。
【実施例】
【００１８】
この発明の実施例について説明すると、砂糖１２ｋｇ、米の粉１ｋｇ、寒天０．４ｋｇとゲル化糖０．４ｋｇ及び水６０リットルを鍋に入れて撹拌混合した後、撹拌しつつ１０３℃前後に３０分位加熱沸騰させる。前記加熱により、米の粉がα化して全体が透明になったならば、別製の白餡１５ｋｇに山芋６ｋｇ及び水あめ２．５ｋｇを加えて混合した材料を加熱して均一に混合した後、容器、型などに分取し、自然放冷により冷却固化すれば、この発明の山芋羊羹ができる。前記実施例では白餡を用いたが、黒餡を用いることもできる。
【００１９】
前記において加熱温度を１０５℃以上にすると、寒天強度が著しく低下するおそれがあるので、温度管理は厳重にしなければならない。
(57)【要約】 【課題】従来、抗菌に使用される抗菌剤は、重金属イオンからなり、毒性の問題がある。又、これらはいずれも瞬時の抗菌作用が得られるだけで、長時間の効力は期待できない。【解決手段】無害性既存化合物からなる上級アミン、硼酸等の重合、反応過程ではバインダーとして、カチオン系の水性エマルジョンを配合撹拌したものである。生鮮食品の保管、輸送に伴う菌、腐敗を除去するためにケースの内側、又は、食品を覆う紙・布の表面に5〜10μの極薄膜を塗布することで強力な抗菌力及び持続性を有する。【特許請求の範囲】
【請求項１】
食品ケースの内面、又は、食品を覆う紙または布の表面に5−10μ薄層塗膜をつくり、菌の発生防止をする。又、塗膜を形成することにより、生鮮食品の劣化、変色を防止する表面処理法。
【発明の詳細な説明】
【技術分野】
【０００１】
本発明は、生鮮食品の保管、輸送中の菌の防止に関するものである。
【背景技術】
【０００２】
農産物の食品の場合は農薬の問題、海産物の食品の場合は河川、海の有害物汚染等で表面上の問題が集約されがちであるが、これら生鮮食品の保管、輸送中の菌の防止策も重要な事柄である。                              
【０００３】
この発明の塗布液に使用する抗菌剤は、財団法人日本食品分析センターにおいて毒性試験・変異原性試験の結果、人体、動物に対して無害であることが証明され、抗菌力も従来のものと比して長期に効力があり、本格的な抗菌であり、生鮮食品の包装紙・包装布又は、食品ケースとして期待できる。
【発明の開示】
【発明が解決しようとする課題】
【０００４】
従来、抗菌に使用される抗菌剤は、重金属イオンからなり、そのいずれも毒性の問題から逸脱できないのが現状である。又、これらの抗菌剤は、単に、抗菌に作用するだけで、しかも長時間の効力に欠如の問題を抱えています。
【０００５】
最近では、脱重金属イオンを考慮して、植物性、例えば、ワサビを原料とした抗菌剤を使用する傾向もあるが、これらはいずれも瞬時の抗菌作用が得られるだけで、長時間の効力は期待できない。
【０００６】
市場から見る抗菌製品は、寝具、玩具、家電、車両、化粧品等に見られるように、ニーズの拡大がある反面、各地の消費者センターの調査、分析の結果、これからの抗菌剤の90%は、抗菌力が疑問視されています。
【０００７】
本発明に使用する抗菌剤は、これらの課題を改善し、更に応用範囲を拡大した、防虫、防ダニ、防腐、防汚に対して、優れた効力を持つ塗布剤として期待できる。
【課題を解決するための手段】
【０００８】
本発明の塗布剤に使用する抗菌剤は、無害性既存化合物からなる上級アミン、硼酸等を重合、反応過程から製造され、最終製造過程ではバインダーとして、カチオン系の水性エマルジョンを配合撹拌したものである。
【０００９】
これまでに類のない既存化合物からなる抗菌剤は、表１に示すが、優れた抗菌力を有し、長時間の薬効果をもたらします。又、数多くの実験結果から、この塗布剤は、抗菌だけでなく、防虫、防ダニ、防臭、防汚、防藻、防腐の役割も果たし、応用範囲の広い塗布液であることに特徴があります。
【００１０】
【表１】
2005143402.tif 000002
【発明の効果】
【００１１】
処理剤(塗布液)は既存化合物である上級アミン・硼酸を有効成分とするため、毒性が無く、強力な抗菌力を持続することができ、しかも他の用途に対しても有効に適用することができる。
【発明を実施するための最良の形態】
【００１２】
本発明の表面処理剤は、生鮮食品の保管、輸送に伴う菌・腐敗を除去するためにケースの内側  又は、食品を覆う紙・布の表面に5−10μの極薄膜を塗膜することで強力な抗菌力及び持続性を有する。毒性が極めて低く（表２に示す）さらに変異原性試験も陰性であり、安全性に優れている。また、本発明の処理剤の分析結果を表3に示すが、有害な物質を含有してない。
【００１３】
【表２】
2005143402.tif 000003
【００１４】
【表３】
2005143402.tif 000004
(57)【要約】【課題】水稲栽培における水田の水管理は作柄を左右するといっても過言ではない。しかし兼業・高齢及び遠隔地農家においては、毎朝夕、水田へ出向いての水管理は相当な負担である。そこで水田に自動給水を行う本装置を提供する。【解決手段】本装置は水田内に水位検出部１を挿入し、用水路１９の取水口上１２に給水制御部７を設置する。本装置は小型・安価で設置・撤去が簡単で、電源には乾電池を使用し、維持管理が容易である。本装置は、水位検出部１が水位１７・１８を感知し給水制御部７のモーター９により給水ゲート１１を開閉する事により毎朝一定の水位１８を実現するものである。  又、水田の水位及び給水水ゲートの間隔は任意に設定できる。【選択図】  図２
2005143491.tif 000002
【特許請求の範囲】
【請求項１】
水田内に水位検知部、取水口上に給水制御部を設置しそれらがケーブルでつながり、小型、安価で設置及び撤去が容易な水田用水位制御装置。
【発明の詳細な説明】
【技術分野】
【０００１】  本装置は水田内と用水路の取水口に設置し、従来、人力で毎日行っていた朝夕の水田の給水を自動化し農家の負担を軽減するための装置である。
【背景技術】
【０００２】  水稲は田植え後一ヶ月は苗の活着を促すため、深水で昼間は保温に努めなければならない。その後、中干しや間断灌水（３日〜５日毎に浅水又は満水状態を繰り返す）など稲刈りまでの約１００日間の水管理は食味、収穫量を左右する最も重要な米作りの重要な要素である。
近代農業においても、毎日の朝夕の水田の見回りをしなければならない。特に兼業農家、高齢農家、遠隔地農家においてはこの水田の見回りが大きな負担となっている。
最近においては下記の特許文献のような装置もあるが、高価で大型で設置するにも工事が必要である。
【特許文献１】  特許公開平０８−０５６５０４
【実用新案文献２】
登録実用新案第３０７９２０３号
【発明の開示】
【発明が解決しようとする問題】
【０００３】  本装置が解決しようとする問題は、毎日の朝夕の水田の見回りが時間的、身体的に大きな農家の負担をこの自動給水装置により軽減する事が出来るようにしたものである。
【課題を解決するための手段】
【０００４】  本発明は、水田内に設置した水位検出部１と用水路１９の取水口１２に設置した給水制御がケーブル６でつながった構成で、夕方及び早朝の水位の増減を水位検出部１が検知し信号を給水制御部２に送り、モーターにより給水ゲート１１を開閉し、水田への給水及び止水を自動で行うものである。
本装置は小型で安価で設置や撤去が簡単であり、電源として市販の乾電池を用い維持管理が容易である。
【発明の効果】
【０００５】  本装置は多くの既存の用水路上に容易に設置することにより、毎朝一定の水位が維持でき、毎朝夕の二回の水田の見回りが省略できる、したがって週末など点検に行けばよく、農家の負担が軽減できる。
豪雨などの増水時も速やかに給水を停止できる。
またフロート２の調節により容易に水稲の生育に応じた水管理が出来る。
【発明を実施する為の最良の形態】
【０００６】  以下、本装置の（１）設置方法、（２）作動原理を説明する。
（１）  本装置の設置は水田内に水位検出部１を挿入し、用水路１９の取水口１２上に給水制御部７を設置し、杭１５又はコンクリートブロック１６などで固定する。
水位・給水ゲート１１の間隔はマイクロスイッチ（以下スイッチという）３・４・１３・１４をネジで調節する。また、給水ゲート部１１を取り替えることにより多くの既存の用水路に設置できる。
（２）  日中、水田内の水が蒸発し夕方になると水位１７が下がり水位感知部１のフロート２が下がるとスイッチ３が入り、ケーブルにより信号が給水制御部７に送られ、ギヤードモーター９（以下モーターという）により給水ゲート１１が上がり、給水ゲートが上がりきるとスイッチ１４になり水田内の水位が上昇１８すると、水位感知部１のフロートが上がりスイッチ４が入りケーブルにより給水制御部のリレー１０を介してモーター９が逆転し給水ゲート１１が下がり、下がりきるとスイッチ１３が切れ給水が止まる。
以上の動作を毎日繰り返す。
又、電源に乾電池を使用していることとギヤードモーター使用の為、動作は非常に遅いが、ギヤードモーターの使用により強力な力で給水ゲートを開閉する為、ゴミ、土砂などに対しても確実に作動する。
【実施例】
【０００７】  兼業農家、高齢農家、遠隔地農家などが導入すれば週末など休日に水田の見回りに行けばよく、かなりの負担軽減となる。
【産業上の利用可能性】  本装置は自然の恵みの水を有効利用するものであり、量産する事により、より安価となり個人農家でも導入できる。
また将来、全国各地の棚田などの複数水田を無線でコントロールする事により自動給水も可能である。
【図面の簡単な説明】
【０００９】
【図１】本装置の使用状態を示す正面図である。
【図２】本装置の使用状態を示す側面図である。
【符号の説明】
１：水位検出部
２：フロート
３：マイクロスイッチ
４：マイクロスイッチ
５：水田挿入部
６：ケーブル
７：給水制御部
８：電源（乾電池）
９：ギヤードモーター
１０：リレー
１１：給水ゲート
１２：取水口
１３：マイクロスイッチ
１４：マイクロスイッチ
１５：杭
１６：コンクリートブロック
１７：水田水位下限
１８：水田水位上限
１９：用水路
【図１】
2005143491.tif 000003
【図２】
2005143491.tif 000004
(57)【要約】【課題】  放送素材収録装置において、映像信号の収録時に自動的に元素材の映像信号の画角の判定を行い、その判定に基づいて画角変換を行うようにする。【解決手段】  入力した映像信号のアスペクト比（画角）を検出する手段と、映像信号に応じてアスペクト比を設定する手段と、検出されたアスペクト比と設定されたアスペクト比とに応じて映像信号のアスペクト比を変換する手段とを有する。【選択図】      図１
2005109549.tif 000002
【特許請求の範囲】
【請求項１】
記録装置を有し、放送素材である映像信号を入力し、該入力した映像信号を前記記録装置に記録する放送素材収録装置において、
前記入力した映像信号のアスペクト比を検出する手段と、前記入力した映像信号に応じて前記アスペクト比を設定する手段と、前記検出されたアスペクト比と前記設定されたアスペクト比とに応じて前記入力した映像信号のアスペクト比を変換する手段とを有することを特徴とする放送素材収録装置。
【発明の詳細な説明】
【技術分野】
【０００１】
本発明は、収録前の映像信号の画角（アスペクト比）と収録後の映像信号の画角とが異なる場合に、収録作業において収録する元素材の映像信号の画角を判定し、自動的に画角変換制御を行うようにした、放送素材収録装置に関するものである。
【背景技術】
【０００２】
一般に、収録（記録）する元素材の映像信号の画角（アスペクト比）は、その元素材の画角に関わらずに、別の画角に変換して収録される場合がある。
図１を用いて従来の技術による収録動作時の画角変換動作について説明する。この図において、１０は収録する映像信号が記録された元素材、１は元素材１０から映像信号を再生し出力する再生装置、２は画角を変換するための映像変換装置、３’は映像変換装置２の制御を行う登録制御装置、４は、再生装置１から出力された映像信号を映像変換装置２を介して収録する収録媒体、１１は元素材及び収録後の映像信号に関して登録された情報を記録した登録情報記録装置である。
【０００３】
ここで、登録制御装置３’では、映像変換装置２を制御するために登録情報記録装置１１の登録情報を用いて制御を行う。このとき、その登録情報に誤りがある場合は、登録制御装置３’の制御によらずに手動で画角変換装置２の設定を行うか、あるいは登録情報記録装置１１の登録情報を再度書き替え登録しなおす等の本来不要な作業が生じる。
【発明の開示】
【発明が解決しようとする課題】
【０００４】
上述の従来技術では、登録情報記録装置１１において元素材１０に関する情報を作成するためには、元素材１０の画角を１度確認し、確認された情報を登録情報記録装置１１に登録する作業が必要になる。そのため、収録媒体４に収録されている映像信号の画角を確認するために、元素材１０をプレビュー表示するなどの手間が必要になる。
【０００５】
本発明の目的は、映像信号の収録時において自動的に元素材の映像信号の画角の判定を行い、その判定に基づいて画角変換を行うようにするものである。
【課題を解決するための手段】
【０００６】
本発明は上述の課題を解決するために、記録装置を有し、放送素材である映像信号を入力し、該入力した映像信号を前記記録装置に記録する放送素材収録装置において、前記入力した映像信号のアスペクト比を検出する手段と、前記入力した映像信号に応じて前記アスペクト比を設定する手段と、前記検出されたアスペクト比と前記設定されたアスペクト比とに応じて前記入力した映像信号のアスペクト比を変換する手段とを有するものである。
【発明の効果】
【０００７】
以上説明したように本発明によれば、収録前の素材に関する画角を検出でき、そうすることで、検出結果に応じて自動的に画角の変換を行い、収録を行うことが可能となる。
【発明を実施するための最良の形態】
【０００８】
以下、本発明の実施の形態について、図面を用いて説明する。図１は本発明の放送素材収録装置の一実施例のブロック構成を示す図である。この図において、１０は収録する映像信号が記録された元素材、１は元素材１０から映像信号を再生し出力する再生装置、５は、再生装置１から出力された映像信号を入力し、入力された映像信号の画角（アスペクト比）を検出する映像判定装置、２は再生装置１から出力された映像信号の画角を変換するための映像変換装置、３は映像判定装置５の判定結果に応じて映像変換装置２の制御を行う登録制御装置、４は、再生装置１から出力された映像信号を映像変換装置２を介して収録する収録媒体、１１は元素材及び収録後の映像信号に関して登録された情報を記録した登録情報記録装置である。
【０００９】
元素材１０の映像信号が収録媒体４に記録される前に、映像判定装置５により画角の確認が行われる。この判定は、映像信号の画面における上下、および左右の映像レベルを判定することで、その画角の判定を行う。そして、判定された結果が映像判定装置５から登録制御装置３へ出力される。登録制御装置３は画角判定装置５および登録情報記録装置１１の元素材に関する登録情報とに応じて、映像変換装置２を制御するための制御信号を出力する。そのため、例えば、映像判定装置５から判定対象の映像信号の画角が４：３であると判定し、さらに、その映像信号に関する登録情報において収録後の画角が１６：９であるとなっていた場合は、登録制御装置３から映像変換装置２へ、４：３の画角の映像信号を１６：９の画角の映像信号へ変換するための制御信号を出力する。
【００１０】
以上説明したように本発明によれば、映像信号に関する収録前の画角が判定されると共に、収録後の素材に関する画角の情報が登録されていることで、最適な画角変換制御を自動的に実施することが可能となる。
【図面の簡単な説明】
【００１１】
【図１】本発明の放送素材収録装置の一実施例のブロック構成を示す図である。
【図２】従来の技術の放送素材収録装置のブロック構成例を示す図である。
【符号の説明】
【００１２】
１：再生装置、  ２：映像変換装置、  ３，３’：登録制御装置、  ４：収録媒体、  １０：元素材、  １１：登録情報記録装置。
【図１】
2005109549.tif 000003
【図２】
2005109549.tif 000004
(57)【要約】【課題】  クロストーク特性を改善することが可能な多分割受光素子を提供する。【解決手段】  埋込層１２と基板１１間のｐｎ接合とエピタキシャル層１３と拡散層１４間のｐｎ接合により光検出を行う受光素子１が隣接して複数形成されてなる多分割受光素子である。埋込層１２の深さが深く形成されている。埋込層１２を深く形成することで、照射された光が基板１１に到達するころには光強度が減衰しており、基板１１領域にて発生する電子・正孔対は少なくなる。その結果、他の受光素子に拡散して達する電子・正孔対の量が減少し、クロストークが抑制される。【選択図】  図１
2005109216.tif 000002
【特許請求の範囲】
【請求項１】
埋込層と基板間のｐｎ接合とエピタキシャル層と拡散層間のｐｎ接合により光検出を行う受光素子が隣接して複数形成されてなり、
前記埋込層の深さが深く形成されていることを特徴とする多分割受光素子。
【請求項２】
受光素子が受光検出する光が波長７８０ｎｍの光であり、前記埋込層の深さが１０μｍ以上とされていることを特徴とする請求項１記載の多分割受光素子。
【発明の詳細な説明】
【技術分野】
【０００１】
本発明は、複数の受光素子を隣接形成した多分割受光素子に関するものであり、特に、隣接する受光素子間でのクロストークの改善に関するものである。
【背景技術】
【０００２】
Ｓｉウエハ上に形成した受光素子において、例えばエピタキシャル成長により形成されたｎ層中に高濃度のｐ層を拡散することにより形成されるｐｎ接合を利用した受光素子が知られており、このような受光素子を複数形成した多分割受光素子が提案されている。
【０００３】
多分割受光素子では、例えばＳｉ基板上に埋込層を形成するとともに、埋込層上にエピタキシャル形成されたエピタキシャル層を形成し、このエピタキシャル層として形成されたｎ層中に高濃度のｐ層（拡散層）を形成することにより各受光素子が構成され、また、各受光素子を分離するための素子分離領域が形成されている。このとき、各受光素子は、埋込層と基板間のｐｎ接合と、エピタキシャル層と拡散層間のｐｎ接合を利用して、高感度の受光素子として形成される。
【０００４】
この種の受光素子（フォトダイオード）に関する技術としては、例えば特許文献１に記載される技術がある。なお、特許文献１記載の技術は、短波長の紫外光域の波長を効率良く検出し、照度センサに好適なフォトダイオードを提供しようというものである。
【特許文献１】特開２００３−１９７９４７号公報
【発明の開示】
【発明が解決しようとする課題】
【０００５】
ところで、多分割受光素子の場合、隣接した受光素子に信号が漏れるクロストーク特性が悪いという問題がある。クロストーク特性が悪い原因は、次のように考えられる。例えば、波長７８０ｎｍの光が拡散層に照射された場合、光はＳｉ深くまで浸入し、基板の領域にまで達し、電子・正孔対を発生させる。発生した電子・正孔対は、拡散電流となって、再結合する前にｐｎ接合の空乏層端に達したとき、光電流として寄与する。拡散層に照射された光によって受光素子Ａに寄与するべき電子・正孔対のうち、基板で発生した電子・正孔対は拡散により受光素子Ｂにまで達し、受光素子Ｂの光電流として寄与する。これがクロストーク特性悪化の原因である。
【０００６】
本発明は、上述の従来の実情に鑑みて提案されたものであり、クロストーク特性を改善することが可能な多分割受光素子を提供することを目的とする。
【課題を解決するための手段】
【０００７】
上述の目的を達成するために、本発明の多分割受光素子は、埋込層と基板間のｐｎ接合とエピタキシャル層と拡散層間のｐｎ接合により光検出を行う受光素子が隣接して複数形成されてなり、前記埋込層の深さが深く形成されていることを特徴とするものである。
【０００８】
埋込層を深く形成することで、照射された光が基板に到達するころには光強度が減衰しており、基板領域にて発生する電子・正孔対は少なくなる。その結果、他の受光素子に拡散して達する電子・正孔対の量が減少し、クロストークが抑制される。
【発明の効果】
【０００９】
本発明によれば、隣接する受光素子間でのクロストークが抑えられた多分割受光素子を提供することが可能である。
【発明を実施するための最良の形態】
【００１０】
以下、本発明を適用した多分割受光素子について、図面を参照しながら詳細に説明する。
【００１１】
受光素子１は、例えば図１に示すように、ｐ型半導体基板１１上に、寄生抵抗を低減するためのｎ+型埋め込み拡散層１２を形成し、ｎ+型埋め込み拡散層１２より表面側にｐｎ接合を形成するためのｎ型エピタキシャル層１３を形成し、このｎ型エピタキシャル層１３内にｐ+型拡散層１４を形成してなるものである。ｎ型エピタキシャル層１３にはｎ+領域１５において逆バイアスを印加する電極１６が接続され、ｐ＋型拡散層１４には信号取り出し用の電極１７が接続されている。
【００１２】
本実施形態では、以上の構成を有する受光素子１が隣接して２つ形成されており、多分割受光素子として構成されている。なお、これら受光素子１間には、素子分離領域１８，１９が形成されている。図１においては、便宜上、図中左側の受光素子をＰＤ−Ａ、右側の受光素子をＰＤ−Ｂとしている。
【００１３】
各受光素子ＰＤ−Ａ、ＰＤ−Ｂにおいては、先にも説明したように、ｐ+型拡散層１４に照射される光がｎ+型埋め込み拡散層１２を通過してｐ型半導体基板１１にまで到達すると、電子・正孔対を発生させる。発生した電子・正孔対は、拡散電流となって、再結合する前にｐｎ接合の空乏層端に達したとき、光電流として寄与する。受光素子ＰＤ−Ａに寄与するべき電子・正孔対のうち、基板で発生した電子・正孔対は、拡散により受光素子ＰＤ−Ｂにまで達し、受光素子ＰＤ−Ｂの光電流として寄与する。その結果、クロストークが生ずる。
【００１４】
そこで、本実施形態では、ｎ+型埋め込み拡散層１２の深さｔを深くし、前記照射される光がｐ型半導体基板１１に到達した際の光強度が、極力減衰するようにしている。具体的には、受光素子ＰＤ−Ａ，ＰＤ−Ｂが受光検出する光が波長７８０ｎｍの光である場合、前記のｎ+型埋め込み拡散層１２の深さｔが１０μｍ以上となるように設定する。
【００１５】
その結果、照射された光がｐ型半導体基板１１に到達するころには光強度が減衰し、基板領域にて発生する電子・正孔対は少なくなる。その結果、他の受光素子に拡散して達する電子・正孔対の量が減少し、クロストークが抑制される。
【図面の簡単な説明】
【００１６】
【図１】本発明を適用した多分割受光素子の一例を模式的に示す断面図である。
【符号の説明】
【００１７】
１  受光素子
１１  ｐ型半導体基板
１２  ｎ+型埋め込み拡散層
１３  ｎ型エピタキシャル層
１４  ｐ+型拡散層
１５  ｎ+領域
【図１】
2005109216.tif 000003
(57)【要約】【課題】接点がオンの際にフォトカプラの発光ダイオードを有する一次側回路で消費される電力を低減することができ、接点が多い場合でも回路があまり大きくならない接点監視回路を提供する。【解決手段】接点監視回路１は定電流電源２と複数のフォトカプラ３ａ，３ｂの発光ダイオード４ａ，４ｂを直列に接続するとともに、夫々のフォトカプラ３ａ，３ｂの発光ダイオード４ａ，４ｂと並列に接点６ａ，６ｂを接続して成る一次側回路７と、電源Ｖ２と抵抗８とフォトカプラ３ａ，３ｂのフォトトランジスタ５ａ，５ｂを直列に接続し、抵抗８とフォトカプラ３ａ，３ｂのフォトトランジスタ５ａ，５ｂのコレクタと接続点にレベル検出制御回路９を接続して成る二次側回路１０とで構成する。【選択図】図１
2005109813.tif 000002
【特許請求の範囲】
【請求項１】
電源と接点とフォトカプラの発光ダイオードとを接続して成る一次側回路と、電源と前記フォトカプラのフォトトランジスタとレベル検出制御回路とを接続して成る二次側回路とで構成される接点監視回路において、前記一次側回路の電源を定電流電源にするとともに、該定電流電源と複数の前記フォトカプラの発光ダイオードを直列に接続し、該フォトカプラの発光ダイオードの夫々に前記接点を並列に接続したことを特徴とする接点監視回路。
【発明の詳細な説明】
【技術分野】
【０００１】
本発明は、フォトカプラを用いて接点の開閉状態を監視する回路に関する。
【背景技術】
【０００２】
図２に示すように、接点の開閉状態を監視するための接点監視回路２１は、電源Ｖ２１と抵抗３１と接点２６とフォトカプラ２３の発光ダイオード２４とを直列に接続して成る一次側回路２７と、電源Ｖ２２と抵抗２８とフォトカプラ２３のフォトトランジスタ２５とを直列に接続し、フォトトランジスタ２５のコレクタと抵抗２８との接続点にレベル検出制御回路２９を接続して成る二次側回路３０とで構成し、接点２６がオンの場合、フォトカプラ２３がオンしてレベル検出制御回路２９がＬレベルを検出し、接点２６がオフの場合は、フォトカプラ２３がオフしてレベル検出制御回路２９がＨレベルを検出して、接点２６の開閉状態を監視するようになっている。尚、監視する接点２６が複数ある場合、接点監視回路２１は接点２６の数と同じ数の回路が必要になっていた。（例えば、特許文献１，特許文献２参照。）。
【特許文献１】特開平１１−１６８３６７号公報
【特許文献２】特開２０００−２５９２９６号公報
【発明の開示】
【発明が解決しようとする課題】
【０００３】
従来の接点監視回路はフォトカプラに流れる電流を制御するための抵抗と、フォトカプラとで電力が消費されるため、接点がオンの際に一次側回路で消費される電力は、一次側回路に流れる電流をＩｆ、抵抗の抵抗値をＲ、フォトカプラの発光ダイオードの順方向電圧降下をＶｆ、監視回路数をｎとすると消費電力＝（Ｉｆ２×Ｒ＋Ｖｆ×Ｉｆ）×ｎであり、消費電力が大きかった。また、監視しようとする接点の数が多くなると回路が大きくなっていた。
【課題を解決するための手段】
【０００４】
本発明は、電源と接点とフォトカプラの発光ダイオードとを接続して成る一次側回路と、電源とフォトカプラのフォトトランジスタとレベル検出制御回路とを接続して成る二次側回路とで構成される接点監視回路において、一次側回路の電源を定電流電源にするとともに、定電流電源と複数のフォトカプラの発光ダイオードを直列に接続し、フォトカプラの発光ダイオードの夫々に接点を並列に接続したことを特徴とする。
【発明の効果】
【０００５】
本発明の接点監視回路は、フォトカプラに流れる電流を制御するための抵抗がないので接点がオンの際に一次側回路で消費される電力を低減することができ、接点が多い場合でも抵抗の数が増えない分だけ回路が大きくならないという効果がある。
【発明を実施するための最良の形態】
【０００６】
接点監視回路は定電流電源と複数のフォトカプラの発光ダイオードを直列に接続するとともに、夫々のフォトカプラの発光ダイオードと並列に接点を接続して成る一次側回路と、電源と抵抗とフォトカプラのフォトトランジスタを直列に接続し、フォトカプラのフォトトランジスタのコレクタと抵抗との接続点にレベル検出制御回路を接続して成る二次側回路とで構成する。
【実施例１】
【０００７】
本発明に係る接点監視回路の実施例を図１の添付図面に基づいて説明する。
【０００８】
接点監視回路１は、定電流電源２と複数のフォトカプラ３ａ，３ｂの発光ダイオード４ａ，４ｂを直列に接続するとともに、夫々のフォトカプラ３ａ，３ｂの発光ダイオード４ａ，４ｂと並列に接点６ａ，６ｂを接続して成る一次側回路７と、電源Ｖ２と抵抗８とフォトカプラ３ａ，３ｂのフォトトランジスタ５ａ，５ｂを直列に接続し、フォトカプラ３ａ，３ｂのフォトトランジスタ５ａ，５ｂのコレクタと電源Ｖ２との接続点にレベル検出制御回路９を接続して成る二次側回路１０とで構成される。
【０００９】
一次側回路７の接点６ａ又は６ｂがオンの場合、オンになっている接点と並列に接続されたフォトカプラ３ａ又は３ｂの発光ダイオード４ａ又は４ｂに電流が流れないのでこのフォトカプラ３ａ又は３ｂはオンせず、二次側回路１０のレベル検出制御回路９はＨレベルを検出する。
【００１０】
また、一次側回路７の接点６ａ又は６ｂがオフの場合、オフになっている接点と並列に接続されたフォトカプラ３ａ又は３ｂの発光ダイオード４ａ又は４ｂに電流が流れるのでこのフォトカプラ３ａ又は３ｂはオンし、二次側回路１０のレベル検出制御回路９はＬレベルを検出する。
【００１１】
レベル検出制御回路９は検出した電圧のレベルによって接点６ａ，６ｂの開閉状態を監視する。
【００１２】
尚、一次側回路７で消費される電力は、一次側回路７に流れる電流をＩｆ、フォトカプラ３ａ，３ｂの発光ダイオード４ａ，４ｂの順方向の電圧降下をＶｆ、監視回数をｎとすると消費電力＝（Ｖｆ×Ｉｆ）×ｎとなり、従来例と比較してＩｆ２×Ｒ×ｎだけ消費電力を低減することができる。
【図面の簡単な説明】
【００１３】
【図１】本発明に係る接点監視回路を示す回路図である。
【図２】従来の接点監視回路を示す回路図である。
【符号の説明】
【００１４】
１    接点監視回路
２    定電流電源
３ａ，３ｂ    フォトカプラ
４ａ，４ｂ    発光ダイオード
５ａ，５ｂ    フォトトランジスタ
６ａ，６ｂ    接点
７    一次側回路
８    抵抗
９    レベル検出制御回路
１０    二次側回路
【図１】
2005109813.tif 000003
【図２】
2005109813.tif 000004
(57)【要約】【課題】  ペットボトルの高さを低くし、また積み重ねられるようにする。【解決手段】  ペットボトルの上面を平面にし、注ぎ口を上面の角につけることにより積み重ねられるようにする。【選択図】  図２
2005255245.tif 000002
【特許請求の範囲】
【請求項１】
ペットボトルの注ぎ口を直方体の上面の角に設置し全体の高さを低くする。
【請求項２】
ペットボトルの上面を平面にして積み重ねられるようにする。
【発明の詳細な説明】
【技術分野】
【０００１】  本発明はペットボトルの注ぎ口を直方体の上面の角につけることによりペットボトルの高さを低くする事ができる。また、その上面が平らであるために積み重ねられる。
【背景技術】
【０００２】  従来、ペットボトルは注ぎ口が四角錐の頂点であるため、その形態により積み重ねる事が不可能であった。また、そのためにペットボトルの高さが容積の割には高い。
【発明の開示】
【発明が解決しようとする課題】
【０００３】  解決しようとする問題点は、ペットボトルを積み重ねる事が不可能であった。また、注ぎ口が四角錐の頂点にあるため容積の割には高さが高い。
【課題を解決するための手段】
【０００４】  ペットボトルの注ぎ口を直方体の上面の角に取り付けることによりペットボトルの上面が平面になり積み重ねる事を可能にする。また、注ぎ口は三角錐の頂点になるため従来の四角錐の形態と比較して注ぐ機能は損なわない。
【発明の効果】
【０００５】  ペットボトルの販売や保存時に積み重ねができる。輸送においても従来のペットボトルより高さが低いのでダンボール梱包の容積も小さくなり効率よく運送できる。また、新型ペットボトルは今までより傾けずに注ぐ事ができる。
【発明を実施するための最良の形態】
【０００６】  ペットボトルの上面の注ぎ口を直方体の角につけることにより上面が平面になり積み重ねられる。
【産業上の利用の可能性】
流通効率が良くなる。陳列が容易になる。ペットボトルの傾きが少なくても注げる。
【図面の簡単な説明】
【０００７】
【図１】  新型ペットボトルの注ぎ口を含む上部を示した図である。
【図２】  新型ペットボトルを積み重ねた図である
【図３】  従来ペットボトル、新型ペットボトルで注いだ比較図である。
【符号の説明】
１  新型ペットボトルの注ぎ口
２  新型ペットボトルの上面
３  直方体が作り出す三角錐
４  従来のペットボトル
５  新型ペットボトル
６  ペットボトルの中心線
【図１】
2005255245.tif 000003
【図２】
2005255245.tif 000004
【図３】
2005255245.tif 000005
(57)【要約】【課題】    羽毛ふとんの収納を簡単にコンパクト収納できる。【解決手段】  生地Ａの裏側に生地Ｂを縫製しポケットを作り羽毛ふとんを生地Ａと一緒に丸めポケットになった生地Ｂをひっくり返す事によりコンパクト収納できる。【選択図】  図４
2005255246.tif 000002
【特許請求の範囲】
【請求項１】
生地Ａの裏側に生地Ｂを合わせ１，２，３の縫製箇所を縫い合せる事によりポケットを作り羽毛ふとんを簡単にコンパクト収納できる収納袋。
【請求項２】
生地Ａの裏側に生地Ｂを合わせ１，２，３の縫製箇所を縫い合せる事によりポケットを作り、次に生地Ｃ，生地Ｄを４，５に縫いつけ、生地Ｃ生地Ｄでたたみ込む事により羽毛ふとんを簡単にコンパクト収納できる収納袋。
【発明の詳細な説明】
【発明の詳細な説明】
【技術分野】
【０００１】  本発明は、羽毛ふとんを押入れに収納した時、従来のスペースの四分の一で押入れを有効に使用でき長期収納、また毎日の羽毛ふとんの上げ下ろしにも簡単に収納できるコンパクト収納袋。
【背景技術】
【０００２】  従来羽毛ふとんをたたんで押入れに入れると空気を含みかさばる為、収納しづらく収納スペースがなく不便であった。
【発明が解決しようとする課題】
【０００３】  羽毛ふとんの収納時、空気を含み収納しづらく収納スペースをとる、そこでコンパクト収納袋に入れる事により簡単に収納でき、収納スペースを確保することを目的とする。
【課題を解決するための手段】
【０００４】  生地Ａの裏側に生地Ｂ合わせ１，２，３の縫製箇所を縫い合わせポケットを作る。
【０００５】  また、生地Ａの裏側に生地Ｂを合わせ１，２，３の縫製箇所を縫い合わせポケットを作り，生地Ｃ、生地Ｄを４，５の縫製箇所に縫い付ける。
【発明を実施するための最良の形態】
【０００６】  以下、本発明の羽毛ふとんのコンパクト収納袋の実施の形態を図面に基づいて説明する。図１に示すように生地Ａの裏側に生地Ｂを合わせ１，２，３の縫製箇所を縫製したものである。【０００７】  また、図２に示す生地Ａの裏側に生地Ｂを合わせ１，２，３の縫製箇所を縫い合わせポケットを作り、生地Ｃ、生地Ｄを４，５の縫製箇所を縫いつけたものである。
【発明の効果】
【０００８】  本発明は、生地Ａに羽毛ふとんを二つ折り又は三つ折にして空気を抜きながら生地Ａと一緒に丸めポケットになっている生地Ｂをひっくり返しポケットに入れる事により簡単にコンパクト収納できる。
【０００９】  また、生地Ｃ、生地Ｄで羽毛ふとんをたたみ込む事によって、より簡単にコンパクト収納できる。
【図面の簡単な説明】
【図１】  本発明の羽毛ふとんのコンパクト収納袋の請求項１の好適合例の全体斜視図である。
【図２】  羽毛ふとんのコンパクト収納袋の請求項２の好適合例の全体の斜視図である。
【図３】  羽毛ふとんを収納した断面図である。
【図４】  羽毛ふとんを収納した全体斜視図である。
【符号の説明】
Ａ      表面の生地
Ｂ      裏面の生地
Ｃ      表面の生地
Ｄ      表面の生地
１      縫製部分
２      縫製部分
３      縫製部分
４      縫製部分
５      縫製部分
６      縫製部分
【図１】
2005255246.tif 000003
【図２】
2005255246.tif 000004
【図３】
2005255246.tif 000005
【図４】
2005255246.tif 000006
(57)【要約】【課題】  現実問題、牛乳パックのリサイクル率は２２・２パーセントと云う低い数字で推移していて、そのほとんどはゴミとして焼却されている。また今日まで、構築物の躯体としての木材、コンクリートなどは、重量があって作業、移送、保管が容易でなかった。【解決手段】  各家庭で飲み終わった牛乳パック、お茶パック、ジュースパック、コーヒーパック、酒パックなどを利用して家族で楽しみながら工作して製品を作り、それをコンビニやスーパーなどで有料で買い取ってもらうことができたら、リサイクル率８０パーセント以上になることも予想される。またあらゆる構築物の躯体に紙パックリサイクル工法を取り入れれば軽量で保湿、保温に富んで作業、移送、保管が容易でしかも低コストでの供給が可能となる。【選択図】    図６
2005255248.tif 000002
【特許請求の範囲】
【請求項１】
紙パックの底の部分を適寸に残し、その他の部分を使用目的に合わせて均等に切り取り、それを組み合わせて数個の三角形を作り、それを残してある底の部分に敷き詰める。
【請求項２】
前記製作物を、定形のパネルにはめ込み、蓋をして、それを躯体として用途に応じて組み合わせて利用する。
【請求項３】
前記三角形の製作物を、用途の大きさに応じて数個組み合わせ、それを躯体として利用する。
【発明の詳細な説明】
【技術分野】
【０００１】    本発明は、紙パックのリサイクルに関する。
【背景技術】
【０００２】    従来、使用済み紙パックは、その一部はリサイクルされてトイレットペーパーやテッシュペーパーとして利用されるが、そのほとんどがゴミとして捨てられている。【０００３】    従来の構築物のほとんどの躯体は木材やセメントなどであるがそれらは重量があって、作業、保管、移送しにくくその運搬費や材料そのものが高額である。
【発明の開示】
【発明が解決しようとする課題】
【０００４】    紙パックのリサイクル率が非常に低い。【０００５】    構築物の躯体としての木材やセメント、は重量があって作業、保管、移送しにくく運搬費や材料そのものが高額である。
【問題を解決するための手段】
【０００６】    紙パックを消費者から有料で回収する。
【０００７】    紙パックリサイクル工法で作製したユニット躯体で構築物を造る。
【発明の効果】
【０００８】    紙パックをゴミとして出す家庭が少なくなり、リサイクル率が上がる。
【０００９】    あらゆる構築物が軽量で、強靭かつ移送し易くて低コストで造ることができる。
【発明を実施するための最良の形態】
【００１０】    消費者が、使用済紙パックを加工して図６のように作製してコンビニやスーパーに持って行って、有料で買い取ってもらう、それを回収専門業者がリサイクルセンターに集積し、リサイクルセンターは、ユニットを組み、各事業所の注文に応じて発送する。【００１１】    この製品の用途として、建物の屋根、天井、壁、床、柱、家具、などの建築躯体として、また船、飛行機、車両に積み込むコンテナの躯体として及び躯体を真空にすることによって冷蔵庫、冷凍庫、魔法瓶などの外函に利用することができる。
【図面の簡単な説明】
【００１２】
【図１】紙パック全体
【図２】図１の紙パックの底を残して切り取ったもの
【図３】紙パックの底の部分
【図４】図２の切り取ったものを三角に折り曲げたもの
【図５】図４の折り曲げたものを４つに組んだもの
【図６】図５のものを図３の底の部分に敷き詰めたもの
【図７】図６のものをパネルに敷き詰めたもの
【図８】図４のものを数個組み合わせたもの
【符号の説明】
【００１３】    １  切取り部分
２  パネル
【図１】
2005255248.tif 000003
【図２】
2005255248.tif 000004
【図３】
2005255248.tif 000005
【図４】
2005255248.tif 000006
【図５】
2005255248.tif 000007
【図６】
2005255248.tif 000008
【図７】
2005255248.tif 000009
【図８】
2005255248.tif 000010
(57)【要約】【課題】  ゴミとしてのかさばりを少なくし、また、ゴミとしての分別を容易にするタバコのボックス型包装容器を提供する。【解決手段】  本体１と、開蓋２とからなるタバコのボックス型包装容器において、本体１の背面３にミシン目状切込線６を有することを特徴とする。【選択図】図１
2005255247.tif 000002
【特許請求の範囲】
【請求項１】
本体１と、開蓋２とからなるタバコのボックス型包装容器において、本体１の背面３にミシン目状切込線４を有することを特徴とするタバコのボックス型包装容器。
【発明の詳細な説明】
【技術分野】
【０００１】  この発明は、ゴミとしてのかさばりを少なくし、また、ゴミとして分別を容易にするタバコのボックス型包装容器に関する。
【背景技術】
【０００２】  現在一般的に使用されているタバコのボックス型包装容器は、包装として強度を確保することによりタバコを商品として販売する過程における取扱いの容易性を向上させ、また、販売後はシガレットケースとして商品の消費者の使用利便性を向上させる点で優れる（例えば、特許文献１参照。）。
【特許文献１】特開平１１−４９１５０
【発明の開示】
【発明が解決しようとする課題】
【０００３】  しかし、現在一般的に使用されているタバコのボックス型包装容器は、商品の販売過程、及び消費者が商品を購入しタバコを吸い終わるまでの間の利便性には優れているが、タバコを吸い終わった後にゴミとして捨てる場合の消費者の不便については考慮がされておらず、以下の点に問題がある。【０００４】  第一に、現在のタバコのボックス型包装容器は、タバコを吸い終わった後に捨てる場合、箱の状態で捨てると容器内部に空間があるためゴミとしてかさばり、また、一定の強度を確保しているため、容器を潰して捨てようとする場合に、ある程度力を入れて潰さなければならないという問題がある。【０００５】  第二に、現在一般的に使用されているタバコのボックス型包装容器は、容器全体を覆うプラスチックでできたフィルムと、紙でできたボックス型包装容器と、容器内部においてタバコを包むアルミ紙により構成されているが、プラスチックフィルムの分別は容易であるのに対し、紙の包装容器とアルミ紙は接着されているため、箱型の状態のままで捨てようとする場合、紙容器とアルミ紙の分別が困難であるという問題がある。【０００６】  この発明は、上述した問題点を解決するためになされたものであり、その目的とするところは、ゴミとして紙容器とアルミ紙を容易に分別でき、かつ、かさばらずにゴミとして捨てることができるタバコのボックス型包装容器を提供することにある。
【課題を解決するための手段】
【０００７】  上記の目的を達成するため、請求項１のタバコのボックス型包装容器は、本体１と開蓋２とからなるタバコのボックス型包装容器において、本体１の背面３にミシン目状の切込線４を設けている。
【発明の効果】
【０００８】  このように包装容器の背面３にミシン目状切込線４を設けることにより、開蓋２を背面方向に引っ張れば紙の本体１を切開し展開することができ、紙容器とその内部のアルミ紙の分別が容易となり、また、展開した本体１は折りたたんで捨てることができるので、ゴミとしてのかさばりも少なくすることができる。
【発明を実施するための最良の形態】
【０００９】  図１を参照すると、本発明のタバコのボックス型包装容器は、タバコを収納する本体１と開蓋２からなり、本体１の背面３には、二列のミシン目状切込線４が設けられている。開蓋２は、本体１と開蓋２を連結する連結部折曲線５により回動するようになっており、この連結部折曲線５の左右両端には短い切込線６が入っている。【００１０】  図２は、図１のタバコのボックス型包装容器を組立てる前の展開図である。この図２では、説明の便宜上、外周の輪郭線及びミシン目切込線４以外の実線を折曲線として描き、輪郭線内の二重線を切込線として描いている。連結部折曲線５以外の折曲線に従い、正面７、背面３、上面８、下面９を形成するように折り曲げて組立て、開蓋側面１０と開蓋側面１１を接着し、本体側面１２と本体側面１３を接着すれば、図１に示す本体１と開蓋２とミシン目状切込線４を有する本発明のタバコのボックス型包装容器が完成する。【００１１】  本発明は、以上のような構成でこれを使用するときは、開蓋２を手で持ち、これを連結部折曲線５に従い本体１の背面３の方向へ折り曲げて蓋を開け、開蓋２をそのまま本体背面３の方向に引っ張ると連結部切込線５の左右両端にある短い切込線６とミシン目状切込線４の始点の間が切れ、更に開蓋２を引っ張るとミシン目状切込線４に従い連続して切れていく。そして、下面９との境まで切ると本体１が切開された状態となり、これにより本体１の内部に接着されているタバコを包むアルミ紙を容易に取り外すことができ、紙容器とアルミ紙を分別して捨てることができる。この場合、開蓋２が組み立てられた状態のまま捨てることにはなるが、本体１は箱状から平面に展開し折りたたんで捨てることができるので、箱状のまま捨てるよりも内部空間が大幅に減るので、ゴミとしてのかさばりは大幅に解消される。なお、このように展開されたタバコ包装容器は、図２に示す展開図とは別の形に展開されるが、その後は捨てるだけなので問題は無い。
【産業上の利用可能性】
【図面の簡単な説明】
【図１】ミシン目状切込線を設けたタバコのボックス型包装容器の斜視図である。
【図２】ミシン目状切込線を設けたタバコのボックス型包装容器の展開図である。
【符号の説明】
１  本体
２  開蓋
３  背面
４  ミシン目状切込線
５  連結部折曲線
６  短い切込線
【図１】
2005255247.tif 000003
【図２】
2005255247.tif 000004
(57)【要約】【課題】  衛生的な、特に病院におけるエレベーター操作による院内感染を防止し得るエレベーターの提供。【解決手段】  非接触センサースイッチによる停止階数入力部を設けた。【選択図】  図２
2005255260.tif 000002
【特許請求の範囲】
【請求項１】
非接触センサースイッチによる停止階数入力部を備えていることを特徴とするエレベーター。
【請求項２】
停止階数入力部が、指が挿入可能かつ内壁に接触することのない大きさを有する穴の内壁に、非接触センサースイッチを付設してなることを特徴とする請求項１記載のエレベーター。
【請求項３】
非接触センサースイッチが光センサースイッチであることを特徴とする請求項１又は２記載のエレベーター。
【発明の詳細な説明】
【技術分野】
【０００１】
本発明はエレベーター、特に停止階数を非接触で入力することができるエレベーターに関する。
【背景技術】
【０００２】
従来、エレベーターの昇降制御機構部への停止階数の入力は、押しボタン方式等の接触センサースイッチによって行なわれていた。
【０００３】
而して、当該接触センサースイッチ部は、当然に不特定多数の者が触れることになるため、衛生上問題があると共に、特に病院においてはエレベーター操作による院内感染の恐れすら生じていたのが実状であった。
【発明の開示】
【発明が解決しようとする課題】
【０００４】
本発明は斯かる従来の問題と実状に鑑みてなされたものであり、衛生的な、特に病院におけるエレベーター操作による院内感染を防止し得るエレベーターを提供することを課題としている。
【課題を解決するための手段】
【０００５】
本発明は、非接触センサースイッチによる停止階数入力部を備えたエレベーターにより、上記課題を解決したものである。
【発明の効果】
【０００６】
本発明のエレベーターは、非接触センサースイッチにより、手指等を一切エレベーターに触れることなく目的とする停止階数を入力することができるため、極めて衛生的で、特に病院においてはエレベーター操作による院内感染を確実に防止することができる。
【発明を実施するための最良の形態】
【０００７】
本発明において、停止階数入力部としては、指が挿入可能かつ内壁に接触することのない大きさを有する穴の内壁に、非接触センサースイッチを付設したものが簡便で望ましい。
【０００８】
また、本発明において非接触センサースイッチとしては、種々のものが採用されるが、光センサースイッチが好適に用いられる。
【実施例】
【０００９】
以下一実施例を示す図面と共に本発明を更に説明する。
【００１０】
１０は停止階数入力部で、エレベーターの内壁部に設置され、目的とする停止階数の情報をエレベーターの昇降制御機構部（図示省略）に入力するものである。
【００１１】
この停止階数入力部１０には、建物の階数に応じた数の穴２０が形設され、その内奥壁にはそれぞれ階数を示す階数表示部３０が設けられ、後述の光センサースイッチが作動した場合、適宜手段により点灯するようになっている。各穴２０は、指Ｆが挿入可能で、かつその内壁には容易に接触することないゆとりのある大きさを有している。
【００１２】
この各穴２０の天壁には光センサースイッチ４０が付設されている。この光センサースイッチ４０は、指Ｆが穴２０に挿入されると走査光の遮光によりスイッチが作動し、当該穴２０の階数情報をエレベーターの昇降制御機構部に伝達入力すると共に、当該階数を示す階数表示部３０が点灯し、入力が完了したことを表示するようになっている。
【００１３】
而して、この実施例によれば、目的とする停止階数の穴２０に指Ｆを挿入するだけで、当該停止階数を選定することができる。
【図面の簡単な説明】
【００１４】
【図１】本発明エレベーターにおける停止階数入力部の概略正面説明図。
【図２】図１のＡ−Ａ線拡大断面説明図。
【符号の説明】
【００１５】
１０：停止階数入力部
２０：穴
３０：階数表示部
４０：光センサースイッチ
Ｆ：指
【図１】
2005255260.tif 000003
【図２】
2005255260.tif 000004